(57)【要約】  異なる周波数帯域を有するシステムから信号を受信する複数のアンテナと、前記異なる周波数帯域を有するシステムと各々通信する複数のシステムモデムと、を備える移動通信端末端末及びその制御方法が提供される。前記複数のアンテナと前記複数のシステムモデムとの間に配置されたスイッチングユニットが、複数のアンテナを複数のシステムモデムに選択的に接続する。異なる周波数帯域を有するシステム間のハンドオーバー時に、制御機が、ハンドオーバーされるシステムのシステムモデムを前記複数のアンテナのうち予め定められた１つのアンテナに接続するようにスイッチングユニットを制御する。【選択図】  図４
2008515331.tif 000002
【特許請求の範囲】
【請求項１】
異なる周波数帯域を有するシステムから信号を受信するための複数のアンテナと、
前記異なる周波数帯域を有するシステムと各々通信するための複数のシステムモデムと、
前記複数のアンテナを前記複数のシステムモデムに選択的に接続するためのスイッチングユニットと、
前記異なる周波数帯域を含むシステム間のハンドオーバー時に、ハンドオーバーされるシステムのシステムモデムを前記複数のアンテナのうち予め定められた１つのアンテナに接続するように前記スイッチングユニットを制御する制御機と、
を備える移動通信端末。
【請求項２】
前記スイッチングユニットは、前記複数のアンテナと前記複数のシステムモデムとの間に位置する
ことを特徴とする請求項１に記載の移動通信端末。
【請求項３】
前記スイッチングユニットは、オン／オフスイッチを備えるクロスバースイッチであることを特徴とする請求項１に記載の移動通信端末。
【請求項４】
前記複数のシステムモデムのうち第１システムモデムが通信中に第１ネットワークシステムのサービス境界領域を検出した場合に、前記第１システムモデムは、ハンドオーバー要請メッセージを前記第１ネットワークシステムに送信し、モデム駆動メッセージを前記複数のシステムモデムのうちの第２システムモデムに伝送し、前記第１ネットワークシステムからハンドオーバー命令メッセージを受信すると、前記第１システムモデムは、該受信されたハンドオーバー命令メッセージを前記第２システムモデムに転送し、次に、前記第１システムモデムがディセイブル（disenable）される
ことを特徴とする請求項１に記載の移動通信端末。
【請求項５】
前記複数のシステムモデムのうちの前記第２システムモデムは、前記第１システムモデムから前記モデム駆動メッセージを受信し、イネーブル（enable）され、最良のセルを探索し、アイドル状態で待機した後に、前記第２システムモデムは、前記第１システムモデムから提供される前記ハンドオーバー命令メッセージに応答して、ネットワークを介して第２ネットワークシステムとトラフィックチャネルを設定し、前記ネットワークを介して前記第２ネットワークシステムと通信する
ことを特徴とする請求項４に記載の移動通信端末。
【請求項６】
前記第１システムモデムは、ＷＣＤＭＡ（Wideband Code Division Multiple Access）ネットワークシステムと通信するためのＷＣＤＭＡモデムを備え、
前記第２システムモデムは、ＣＤＭＡ（Code Division Multiple Access）ネットワークシステムと通信するためのＣＤＭＡモデムを備える
ことを特徴とする請求項５に記載の移動通信端末。
【請求項７】
前記複数のアンテナは、同一または異なる受信性能を有し、前記移動通信端末の内部及び外部に装着される
ことを特徴とする請求項１に記載の移動通信端末。
【請求項８】
前記予め定められたアンテナは、外部アンテナを備えることを特徴とする請求項１に記載の移動通信端末。
【請求項９】
異なる周波数帯域を備えた各システムと通信するためのシステムモデムと、
各々の前記システムモデムに接続され、当該周波数帯域の信号を受信し、該受信された信号を対応するモデムに供給するための複数のアンテナと、
を含む移動通信端末。
【請求項１０】
前記複数のアンテナは、端末ケースの内部及び外部に装着されることを特徴とする請求項９に記載の移動通信端末。
【請求項１１】
システムモデムのうち第１モデムが外部アンテナに接続され、第２モデムが内部アンテナに接続されることを特徴とする請求項９に記載の移動通信端末。
【請求項１２】
第１周波数帯域を有するシステムから第２周波数帯域を有するシステムへのハンドオーバー時に、前記第１モデムを前記内部アンテナに接続し、前記第２モデムを前記外部アンテナに接続するための制御機をさらに備える
ことを特徴とする請求項１１に記載の移動通信端末。
【請求項１３】
前記第１モデムは、ＷＣＤＭＡ（Wideband Code Division Multiple Access）周波数帯域を有するシステムと通信するためのＷＣＤＭＡモデムを備え、
前記第２モデムは、ＣＤＭＡ（Code Division Multiple Access）周波数帯域を有するシステムと通信するためのＣＤＭＡモデムを備える
ことを特徴とする請求項１２に記載の移動通信端末。
【請求項１４】
複数のアンテナを有する移動通信端末においてアンテナスイッチングを制御する方法であって、
前記端末が第１通信モデムを用いて第１移動通信システムと通信しながら、該端末が異なる周波数帯域を有する第２移動通信システムのサービス領域に進入した場合に、前記第２移動通信システムと通信するための第２通信モデムをイネーブルさせ、前記第２移動通信システムとのトラフィックチャネルを設定する段階と、
前記複数のアンテナの内のより高い受信性能を有する第１アンテナが前記イネーブルされた第２通信モデムに接続され、前記第１アンテナよりも低い受信性能を持った第２アンテナが前記第１通信モデムに接続されるように、アンテナスイッチングを制御する段階と、
を含む移動通信端末のアンテナスイッチング制御方法。
【請求項１５】
前記第１モデムは、ＷＣＤＭＡ（Wideband Code Division Multiple Access）モデムであり、前記第２モデムは、ＣＤＭＡ（Code Division Multiple Access）モデムである
ことを特徴とする請求項１４に記載の移動通信端末のアンテナスイッチング制御方法。
【請求項１６】
前記第１移動通信システムは、ＷＣＤＭＡ（Wideband Code Division Multiple Access）システムを備え、
前記第２移動通信システムは、ＣＤＭＡ（Code Division Multiple Access）システムを備える
ことを特徴とする請求項１４に記載の移動通信端末のアンテナスイッチング制御方法。
【請求項１７】
前記第１アンテナと前記第２アンテナとの間の前記スイッチングは、複数のオン／オフスイッチを備えたクロスバースイッチを用いて行われる
ことを特徴とする請求項１４に記載の移動通信端末のアンテナスイッチング制御方法。
【請求項１８】
前記複数のアンテナは、同一または異なる受信性能を有し、前記移動通信端末の内部及び外部に装着される
ことを特徴とする請求項１４に記載の移動通信端末のアンテナスイッチング制御方法。
【請求項１９】
異なる周波数帯域を有する各々のシステムと通信するための複数のシステムモデムと、異なる周波数帯域信号を受信し、受信した周波数帯域信号を前記各々のシステムモデムに供給する複数のアンテナと、を備えた移動通信端末においてアンテナスイッチングを制御する方法であって、
通信中の第１システムモデムが前記端末の現在位置が第１移動通信システムのサービス周波数帯域の境界領域にあると判定したときに、ハンドオーバー要請メッセージを前記第１移動通信システムに送信し、モデム駆動メッセージをネットワークを介して第２システムモデムに送信する段階と、
前記モデム駆動メッセージを受信した前記第２システムモデムで、最良のセルを探索し、前記第１移動通信システムから提供されるハンドオーバー命令に応答して、ネットワークを介して前記第２移動通信システムとトラフィックチャネルを設定する段階と、
前記複数のアンテナの内のより優れた受信性能を有する設定された第１アンテナが前記第２システムモデムにスイッチングされるように、アンテナスイッチングを制御する段階と、
を含む移動通信端末のアンテナスイッチング制御方法。
【請求項２０】
アンテナスイッチングを制御するときに、前記第１アンテナよりも低い受信性能を有する第２アンテナが前記第１システムモデムにスイッチングされる
ことを特徴とする請求項１９に記載の移動通信端末のアンテナスイッチング制御方法。
【請求項２１】
前記第１システムモデムは、ＷＣＤＭＡ（Wideband Code Division Multiple Access）モデムを備え、前記第２システムモデムは、ＣＤＭＡ（Code Division Multiple Access）モデムを備える
ことを特徴とする請求項１９に記載の移動通信端末のアンテナスイッチング制御方法。
【請求項２２】
前記複数のアンテナは、同一または異なる受信性能を有し、前記移動通信端末の内部及び外部に装着される
ことを特徴とする請求項１９に記載の移動通信端末のアンテナスイッチング制御方法。
【発明の詳細な説明】
【技術分野】
【０００１】
本発明は、移動通信端末及びその制御方法に関する。より明確には、本発明は、ＩＭＴ−２０００（International Mobile Telecommunication-2000）方式のＷＣＤＭＡ（Wideband Code Division Multiple Access：広帯域符号多重接続）網と２Ｇ（Second Generation ）ＣＤＭＡ（Code Division Multiple Access）網との通信が可能な端末に複数のアンテナを装着し、網間のハンドオーバー時に、複数のアンテナのうち受信性能に優れたアンテナが、端末内のハンドオーバーされるシステムモデムにスイッチングされるように制御する移動通信端末及びその制御方法に関する。
【背景技術】
【０００２】
一般的に、ＷＣＤＭＡ網の商用化過程における経済的負担により、ＷＣＤＭＡネットワークシステムは、一時に全ての地域にサービスを提供できるように設置されていないが、主要圏域別に順次にＷＣＤＭＡサービスが提供される予定である。
【０００３】
このような網設置計画では、ＷＣＤＭＡ端末がＷＣＤＭＡサービス地域から外れた場合にサービスを受けることができない、という問題点がある。したがって、ＷＣＤＭＡサービスが全国的に利用可能になるまでは、かかるサービス地域の外にある端末は、既存の移動通信網へ移動してサービスを受けることができるようにする必要がある。これは、ＷＣＤＭＡ網−ＣＤＭＡ網間のハンドオーバー（Handover）と呼ばれる。
【０００４】
このようなハンドオーバーは、次の諸条件が必要とされる。
【０００５】
第一に、ＷＣＤＭＡシステム及びＣＤＭＡシステムに同時に接続して通信を行うことができる端末が必要になる。このようなタイプの端末は、ＭＭＭＢ（Multi Mode Multi Band）端末と呼ばれる。このような端末の構造を図１に示し、以下に説明する。
【０００６】
図１に示されたように、ＭＭＭＢ端末は、ＷＣＤＭＡモデムとＣＤＭＡモデムとを備えている。
【０００７】
第二に、端末またはシステムは、端末がＷＣＤＭＡサービス地域の境界に位置した場合にこれを検知することができなければならない。
【０００８】
第三に、端末は、ＷＣＤＭＡサービス地域の境界に位置した場合には、継続的なサービスを安定的に受けるために、ＷＣＤＭＡ ｔｏ ＣＤＭＡハンドオーバー手続によってハンドオーバーを遂行することができなければならない。
【０００９】
第四に、移動通信網は、いずれのシステム内で端末が作動しているかに関わらず、呼び出し（paging）メッセージを素早く送信し、その端末に呼（call）を接続することができなければならない。
【００１０】
以下、従来技術によるＷＣＤＭＡ ｔｏ ＣＤＭＡハンドオーバーを行うことが可能な移動通信端末の構造について、図１を参照して説明する。
【００１１】
図１は、ＷＣＤＭＡ及びＣＤＭＡ信号を同時に送受信するための従来の端末を概略的に示す図である。
【００１２】
図１に示されたように、端末は、外部アンテナＡＮＴと、ダイプレクサ１と、デュプレクサ２、３と、ＣＤＭＡモデム４と、ＷＣＤＭＡモデム５と、デュアルポートＲＡＭ（ＤＰＲＡＭ：Dual Port Random Access Memory）６と、マルチメディアプロセッサー７とを含む。
【００１３】
ダイプレクサ（Diplexer）１は、外部アンテナＡＮＴを介して信号を受信し、該受信された信号をＷＣＤＭＡ帯域とＣＤＭＡ帯域とに分離し、該分離された信号を、デュプレクサ（Duplexer）２及び３を介して、各々ＣＤＭＡモデム４及びＷＣＤＭＡモデム５に供給する。
【００１４】
ＣＤＭＡモデム４及びＷＣＤＭＡモデム５の各々は、デュプレクサ２及び３を介して信号を受信し、当該受信した自身の各々の周波数に該当する信号を、マルチメディアプロセッサー７の制御によって処理する。
【００１５】
このような構成を有する端末のＷＣＤＭＡ ｔｏ ＣＤＭＡハンドオーバー時の段階的な動作について、図２を参照してさらに詳細に説明する。
【００１６】
図２に示されたように、まず、端末のＷＣＤＭＡモデムを用いて通話中の状態で（ステップＳ１０１）、ＷＣＤＭＡモデム５でＷＣＤＭＡ網とＣＤＭＡ網との境界を検知（認識）した場合（ステップＳ１０２）に、ＷＣＤＭＡモデム５は、システム（ここで、システムは、基地局、基地局制御機などを含むネットワークシステムをいう。）に、ＷＣＤＭＡ境界認識メッセージ、すなわちＣＤＭＡ網へのハンドオーバーを要求するメッセージを提供する（ステップＳ１０３）。
【００１７】
また、ＷＣＤＭＡモデム５は、マルチメディアプロセッサー７を介してＣＤＭＡモデム４にＣＤＭＡモデム５を駆動するための信号を供給し、ＣＤＭＡモデム４を駆動する（ステップＳ１０４、Ｓ１０５）。したがって、ＣＤＭＡモデム４は、最も良いセルを探索し、この後にアイドル（Idle）状態に移行する（ステップＳ１０６）。
【００１８】
一方、システムがＷＣＤＭＡモデム５にハンドオーバー命令メッセージを送信する場合（ステップＳ１０７）には、ＷＣＤＭＡモデム５は、システムからのハンドオーバー命令メッセージを受信し（ステップＳ１０８）、受信されたハンドオーバー命令メッセージをＣＤＭＡモデム４へ転送した後に、ＷＣＤＭＡモデム５の駆動を停止する（ステップＳ１１０）。
【００１９】
ハンドオーバー命令メッセージを受信したＣＤＭＡモデム４は、システムとトラフィックチャネルを設定し（ステップＳ１１１）、この後、システムにハンドオーバー完了メッセージを送信する（ステップＳ１１２）ことによって、システムとＣＤＭＡモデム４との間のトラフィックチャネルに呼が移転され、通話を持続的に行う（ステップＳ１１３）。
【００２０】
その結果、ＷＣＤＭＡ ｔｏ ＣＤＭＡハンドオーバーでは、端末がＷＣＤＭＡサービスエリアの境界に位置する場合に、ＣＤＭＡモデム４が起動され、適切な強度以上の信号を発するセル（cell）に位置する。続いて、システムのハンドオーバー命令に応答して、ＣＤＭＡモデム４がセルと接続され、呼がＣＤＭＡモデム４に切り替えられた後に、ＷＣＤＭＡモデム５が停止される。
【００２１】
図２に示されたように、同時送受信期間では、端末のＷＣＤＭＡモデム５及びＣＤＭＡモデム４が同時にＷＣＤＭＡシステム及びＣＤＭＡシステムに各々接続され、通信を行う。
【００２２】
図２に示されたような端末は、受信された信号を、ダイプレクサを用いて各システムの周波数に基づいて分離する。ダイプレクサは、互いに分離すべき周波数が遠く離れているほど高い性能を示す。
【００２３】
例えば、ＳＫＴ（SK Telecom）株式会社以来、テレコミュニケーションサービス事業者はＣＤＭＡにおいて８００ＭＨｚ帯域を、ＷＣＤＭＡにおいて２ＧＨｚ帯域を使用するので、これら周波数をダイプレクサで分離することが可能であり、図２に示される構造を有する端末を、ＷＣＤＭＡ及びＣＤＭＡ信号を同時に送受信するために使用することができる。しかしながら、（別のテレコミュニケーションサービス事業者である）ＫＴＦ株式会社の場合、ＣＤＭＡにおいて１．８ＧＨｚ帯域を、ＷＣＤＭＡにおいて２ＧＨｚ帯域を使用するが、このような２つの帯域を分離することができるダイプレクサは現在存在しない。さらに、新たな部品（component）を開発するとしても、その厚さが略１ｃｍに達するため、このような部品では端末機のサイズが大きくなり、端末の市場性が低下するという問題点を有する。
【発明の開示】
【発明が解決しようとする課題】
【００２４】
従って、本発明の目的は、内部アンテナ及び外部アンテナを用いて、ＷＣＤＭＡ（Wideband Code Division Multiple Access）及びＣＤＭＡ（Code Division Multiple Access）信号を同時に受信することができる移動通信端末機を提供することにある。
【００２５】
また、本発明の他の目的は、前述したようなＷＣＤＭＡ ｔｏ ＣＤＭＡハンドオーバー時に、内部／外部アンテナを切り替えて使用することによって、内部アンテナの受信性能の低下を防止することができる移動通信端末及びその制御方法を提供することにある。
【課題を解決するための手段】
【００２６】
本発明の典型的な実施形態の一態様では、移動通信端末が提供される。この移動通信端末は、異なる周波数帯域を有するシステムから信号を受信するための複数のアンテナと、前記異なる周波数帯域を有するシステムと各々通信するための複数のシステムモデムと、前記複数のアンテナと前記複数のシステムモデムとの間に位置し、前記複数のアンテナと前記複数のシステムモデムを選択的に接続するためのスイッチングユニットと、前記異なる周波数帯域を含むシステム間のハンドオーバー時に、ハンドオーバーされるシステムのシステムモデムを前記複数のアンテナのうち予め定められた１つのアンテナに接続するように前記スイッチングユニットを制御する制御機と、を含むことができる。
【００２７】
前記スイッチング部は、オン／オフスイッチからなるクロスバースイッチを含むことができ、また、前記複数のシステムモデムは、ＷＣＤＭＡネットワークシステムと通信するためのＷＣＤＭＡモデムと、ＣＤＭＡネットワークシステムと通信するためのＣＤＭＡモデムと、を含むことができる。
【００２８】
また、ＷＣＤＭＡモデムがＷＣＤＭＡ通信中にＷＣＤＭＡサービス境界領域を検出した場合には、該ＷＣＤＭＡモデムは、ハンドオーバー要請メッセージをＣＤＭＡネットワークシステムに送信し、モデム駆動メッセージをＣＤＭＡモデムに伝送し、その結果、ＷＣＤＭＡネットワークシステムからのハンドオーバー命令メッセージの受信時に、ＷＣＤＭＡモデムは、該受信されたハンドオーバー命令メッセージをＣＤＭＡモデムに転送し、次に、該ＷＣＤＭＡモデムがディセイブル（disenable）される。
【００２９】
また、ＣＤＭＡモデムは、ＷＣＤＭＡモデムからのモデム駆動メッセージを受信し、イネーブルされ、最良のセルを探索し、アイドル状態で待機した後に、このＣＤＭＡモデムは、ＷＣＤＭＡモデムから提供される前記ハンドオーバー命令メッセージに応答して、ネットワークを介してＣＤＭＡネットワークシステムとトラフィックチャネルを設定し、前記ネットワークを介してＣＤＭＡネットワークシステムと通信する。
【００３０】
また、前記複数のアンテナは、同一または異なる受信性能を有し、前記移動通信端末の内部及び外部に装着されることができる。
【００３１】
また、前記予め定められたアンテナは、外部アンテナとすることができる。
【００３２】
本発明の典型的な実施形態の他の態様では、移動通信端末が提供される。この移動通信端末は、異なる周波数帯域を備えた各システムと通信を行うためのシステムモデムと、各々のシステムモデムに接続され、当該周波数帯域の信号を受信し、該受信された信号を対応するモデムに供給するための複数のアンテナと、を含むことができる。
【００３３】
また、前記複数のアンテナは、端末ケースの内部及び外部に装着されることができる。
【００３４】
また、異なる周波数帯域を備えた各々のシステムモデムは、ＷＣＤＭＡ周波数帯域を有するシステムと通信するためのＷＣＤＭＡモデムと、ＣＤＭＡ周波数帯域を有するシステムと通信するためのＣＤＭＡモデムと、を含むことができる。
【００３５】
また、ＷＣＤＭＡモデムは、外部アンテナが接続されるようにし、ＣＤＭＡモデムは、内部アンテナが接続されるようにすることができる。
【００３６】
また、移動通信端末は、ＷＣＤＭＡ周波数帯域を有するシステムからＣＤＭＡ周波数帯域を有するシステムへのハンドオーバー時に、ＣＤＭＡモデムを内部アンテナに接続し、かつ、ＷＣＤＭＡモデムを外部アンテナに接続するための制御部をさらに含むことができる。
【００３７】
一方、本発明の典型的な実施形態のさらに他の態様では、複数のアンテナを備えた移動通信端末のアンテナスイッチング制御方法が提供される。かかる方法は、移動通信端末が第１通信モデムを用いて第１移動通信システムと通信中に、該端末が異なる周波数帯域を有する第２移動通信システムのサービス領域に進入した場合に、第２移動通信システムと通信するための第２通信モデムをイネーブルさせ、第２移動通信システムとのトラフィックチャネルを設定する段階と、前記複数のアンテナのうち受信性能に優れた第１アンテナが前記ハンドオーバーされた第２通信モデムに接続され、前記第１アンテナよりも受信性能の低い第２アンテナが第１通信モデムに接続されるようにアンテナをスイッチング制御する段階と、を含む。
【００３８】
また、前記第１モデムをＷＣＤＭＡモデムとし、前記第２モデムをＣＤＭＡモデムとすることができる。また、前記第１移動通信システムをＷＣＤＭＡシステムとし、前記第２移動通信システムをＣＤＭＡシステムとすることができる。
【００３９】
また、前記第１アンテナと前記第２アンテナとの間のスイッチングは、複数のオン／オフスイッチを備えたクロスバースイッチを用いて行われることができる。
【００４０】
また、前記複数のアンテナは、同一または異なる受信性能を有し、前記移動通信端末の内部及び外部に装着されることができる。
【００４１】
一方、本発明の典型的な実施形態のさらに他の態様によれば、異なる周波数帯域を有する各々のシステムと通信するための複数のシステムモデムと、異なる周波数帯域信号を受信し、受信した周波数帯域信号を前記各々のシステムモデムに供給する複数のアンテナと、を備えた移動通信端末においてアンテナスイッチングを制御する方法が提供される。かかる方法は、通信中の第１システムモデムが前記端末の現在位置が第１移動通信システムのサービス周波数帯域の境界領域にあるものと判定したときに、ハンドオーバー要請メッセージを前記第１移動通信システムに送信し、モデム駆動メッセージをネットワークを介して第２システムモデムに送信する段階と、前記モデム駆動メッセージを受信した前記第２システムモデムで、最良のセルを探索し、前記第１移動通信システムから提供されるハンドオーバー命令に応答して、ネットワークを介して前記第２移動通信システムとトラフィックチャネルを設定する段階と、前記複数のアンテナの内のより優れた受信性能を有する設定された第１アンテナが前記第２システムモデムにスイッチングされるように、アンテナスイッチングを制御する段階と、を含むことができる。
【００４２】
また、アンテナスイッチングを制御するときに、前記第１アンテナより低い受信性能を有する第２アンテナが前記第１システムモデムにスイッチングされることができる。
【発明の効果】
【００４３】
したがって、本発明の典型的な実施形態でＭＭＭＢ端末を使用する場合には、ＷＣＤＭＡ及びＣＤＭＡ周波数帯域が隣接する場合であっても、ＷＣＤＭＡ及びＣＤＭＡシステムを同時に送受信可能にすることによって、ＷＣＤＭＡ ｔｏ ＣＤＭＡハンドオーバーを短い通話断絶且つ高い成功率をもって行うことができる。
【００４４】
また、外部アンテナ及び内部アンテナが同時に使用されることによって、端末機の外観を改善し、商品性を高めることができる。
【００４５】
さらに、受信性能が悪い内部アンテナを短い間使用し、続いて外部アンテナと交替することによって、いずれのシステムに接続しても、通信品質が低下しない。
【００４６】
また、内部アンテナの受信性能がある程度低くてもよいので、アンテナのサイズを縮小することが可能であり、端末全体の小型化に寄与することができる。
【００４７】
本発明は、その典型的な実施の形態に関して記載されているが、当業者であれば、請求項によって規定されるような本発明の精神及び範囲から逸脱することなく、形式や細部の種々の変更ができることが理解されるであろう。
【発明を実施するための最良の形態】
【００４８】
以下、本発明の典型的な実施形態を示した添付の図面を参照して、本発明を詳細に説明する。但し、この発明は異なる形式で具体化され得るものであり、ここで説明された実施の形態に限定される旨解釈されるべきではない。むしろ、これらの実施の形態は、この開示が完全で完結するものとして提供され、当業者に対して発明の範囲を完全に伝えるであろう。
【００４９】
各図において、同じ要素が後の図で再び現れる場合には常に、同一の参照符号によって表記される。
【００５０】
図３は、本発明の典型的な実施形態による移動通信端末の構成を示す回路図である。
【００５１】
図３に示されたように、移動通信端末は、内部アンテナと、外部アンテナと、デュプレクサ１０，１１と、ＣＤＭＡ（Code Division Multiple Access）モデム１２と、ＷＣＤＭＡ（Wideband Code Division Multiple Access）モデム１３と、ＤＰＲＡＭ（Dual Port Random Access Memory）１４と、マルチメディアプロセッサー１５とを含む。
【００５２】
内部アンテナは、外部から見ることができないように、端末のケース内部に装着され、外部アンテナは、従来の端末機のアンテナのように、外部に突出するように構成される。内部及び外部アンテナの位置及び構造は、２つのアンテナ間の信号の干渉を最小化できるように構成される。
【００５３】
すなわち、内部アンテナは、デュプレクサ１０を介してＣＤＭＡモデム１２に接続され、ＣＤＭＡ網の周波数帯域の信号を受信し、デュプレクサ１０を介してＣＤＭＡモデム１２に供給する。
【００５４】
また、外部アンテナは、デュプレクサ１１を介してＷＣＤＭＡモデム１３に接続され、ＷＣＤＭＡ網の周波数帯域の信号を受信し、デュプレクサ１１を介してＷＣＤＭＡモデム１３に供給する。
【００５５】
このように本発明の一の典型的な実施形態による移動通信端末機は、ＣＤＭＡ周波数帯域信号及びＷＣＤＭＡ周波数帯域信号を各々異なるアンテナを介して受信することによって、図１の従来の移動通信端末機に比べて受信性能が向上することができる。
【００５６】
また、デュプレクサ１０，１１と、ＣＤＭＡ／ＷＣＤＭＡモデム１２，１３と、ＤＰＲＡＭ１４及びマルチメディアプロセッサー１５の動作は、各々、図１の従来の移動通信端末のものと同様であり、ＷＣＤＭＡ ｔｏ ＣＤＭＡへのハンドオーバー時の端末の動作もやはり、図２に示された動作と同様である。
【００５７】
一方、図３に例示されたような構造を有する端末では、内部アンテナの低性能が問題になり得る。すなわち、内部アンテナの受信性能が外部アンテナの受信性能に比べて劣っているため、図３に示すように、内部アンテナを用いたＣＤＭＡ通信は、既存の端末に比べて低品質の受信性能を示すことがある。このような問題を解決するために、図４に示されるように、本発明の他の一の典型的な実施形態による端末が提供される。
【００５８】
図４は、本発明の典型的な実施形態による移動通信端末の構成を示す回路図である。
【００５９】
図４に示されたように、移動通信端末機は、内部アンテナと、外部アンテナと、クロスバースイッチ２０と、デュプレクサ２１，２２と、ＣＤＭＡモデム２３と、ＷＣＤＭＡモデム２４と、ＤＰＲＡＭ２５と、マルチメディアプロセッサー２６とを含む。
【００６０】
内部アンテナ及び外部アンテナは、各々クロスバースイッチ２０に接続され、クロスバースイッチ２０には、デュプレクサ２１，２２が各々接続される。
【００６１】
クロスバースイッチ２０は、マルチメディアプロセッサー２６から供給されるスイッチング制御信号に応答して、通話トラフィック信号をネットワークを介してシステムに送信するモデム、すなわちＣＤＭＡモデム２３またはＷＣＤＭＡモデム２４に外部アンテナが接続され、ＣＤＭＡモデム２３またはＷＣＤＭＡモデム２４からトラフィック信号を受信することができるようにスイッチングする。一方、クロスバースイッチ２０はまた、信号を受信するモデムに内部アンテナが接続されるようにスイッチングすることもできる。これは、外部アンテナの方が内部アンテナよりも良い受信性能を有していることから、現在通話トラフィックを転送しているモデムに外部アンテナを切り替えることによって、受信性能を向上させることができるようにするためである。典型的な実施形態によれば、これら内部及び外部アンテナは、同じ条件を有するアンテナであって、装着位置のみに起因して受信性能の差異が発生するものである。
【００６２】
マルチメディアプロセッサー２６は、現在トラフィック信号を送信するためのモデムを決定し、該トラフィックを送信するためのモデム、例えばＷＣＤＭＡモデム２４に外部アンテナが接続されるように、クロスバースイッチ２０にスイッチング制御信号を供給し、クロスバースイッチ２０を作動させる。このクロスバースイッチ２０のスイッチングによって、外部アンテナは、デュプレクサ２２を介してＷＣＤＭＡモデム２４に接続され、内部アンテナは、デュプレクサ２１を介してＣＤＭＡモデム２３に接続された状態になる。
【００６３】
また、通話中にＷＣＤＭＡモデム２４がＷＣＤＭＡ境界位置を感知した場合には、ＣＤＭＡ網へのハンドオーバーが遂行され、システムのハンドオーバー命令に応答して、マルチメディアプロセッサー２６は、クロスバースイッチ２０にスイッチング制御信号を伝送し、外部アンテナをＣＤＭＡモデム２３に切り替えて、ＣＤＭＡモデム２３を駆動する。
【００６４】
また、クロスバースイッチ２０は、ＣＤＭＡモデム２３への経路とＷＣＤＭＡモデム２４への経路とが互いに干渉を受けないように、多様に構成することができるが、本発明の典型的な実施形態としては、４つのオン／オフスイッチ２０ａ〜２０ｄを用いた構成を図５に例示している。
【００６５】
図５に示されたように、クロスバースイッチ２０は、４つのオン／オフスイッチ２０ａ〜２０ｄで構成されることができる。ここで、マルチメディアプロセッサー２６から供給される制御信号によってオン／オフスイッチ２０ａがオンとされ、オン／オフスイッチ２０ｂがオフとされる場合には、オン／オフスイッチ２０ｃはオフとされ、オン／オフスイッチ２０ｄはオンとされ、外部アンテナがデュプレクサ２１を介してＣＤＭＡモデム２３に接続され、内部アンテナは、デュプレクサ２２を介してＷＣＤＭＡモデム２４に接続される。
【００６６】
反対に、マルチメディアプロセッサー２６から供給される制御信号によってオン／オフスイッチ２０ａがオフとされ、オン／オフスイッチ２０ｂがオンとされる場合には、オン／オフスイッチ２０ｃはオンとされ、オン／オフスイッチ２０ｄはオフとされ、外部アンテナがデュプレクサ２２を介してＷＣＤＭＡモデム２４に接続され、内部アンテナは、デュプレクサ２１を介してＣＤＭＡモデム２３に接続される。
【００６７】
その結果、マルチメディアプロセッサー２６の制御信号によって外部アンテナがＷＣＤＭＡモデム２４に、内部アンテナがＣＤＭＡモデム２３に各々接続されるクロスバースイッチ２０の基本状態は、端末がＷＣＤＭＡ境界を横断してＣＤＭＡ網へのハンドオーバーが行われる場合には、マルチメディアプロセッサー２６の制御信号によって変更される。すなわち、ＷＣＤＭＡからＣＤＭＡへのハンドオーバー時に、マルチメディアプロセッサー２６は、外部アンテナをＣＤＭＡモデム２３に、内部アンテナをＷＣＤＭＡモデム２４に接続するように、クロスバースイッチ２０を制御する。
【００６８】
このような本発明の典型的な実施形態による移動通信端末におけるハンドオーバー手続によるクロスバースイッチ２０の制御動作について、以下に詳細に説明する。
【００６９】
まず、ＷＣＤＭＡモデム２４を用いて通話中の状態において、ＷＣＤＭＡモデム２４で端末の現在位置がＷＣＤＭＡサービス境界地域であると検出した場合に、ＷＣＤＭＡモデム２４は、システムにハンドオーバーを要求するメッセージを送信すると同時に、ＣＤＭＡモデム２３にＣＤＭＡモデム２３を駆動するためのメッセージを提供する。
【００７０】
このときに、マルチメディアプロセッサー２６は、外部アンテナをＷＣＤＭＡモデム２４に接続し、内部アンテナをＣＤＭＡモデム２３に接続するために、クロスバースイッチ２０にスイッチング制御信号を供給する。すなわち、ＷＣＤＭＡサービス領域では、常に外部アンテナをＷＣＤＭＡモデム２４に接続する基本状態が維持されることができ、また、マルチメディアプロセッサー２６は、ＷＣＤＭＡモデム２４を用いた通話中の状態では、外部アンテナをＷＣＤＭＡモデム２４に接続し、内部アンテナをＣＤＭＡモデム２３に接続するために、クロスバースイッチ２０のオン／オフスイッチ２０ａ，２０ｄをオフにし、オン／オフスイッチ２０ｂ，２０ｃをオンにする。
【００７１】
ＣＤＭＡモデム２３は、ＷＣＤＭＡモデム２４に提供されるモデム駆動メッセージに応じて駆動され、最良のセルを探索した後にアイドル状態に入る。
【００７２】
また、システムからハンドオーバー命令メッセージが受信された場合に、ＷＣＤＭＡモデム２４は、該受信されたハンドオーバー命令メッセージをＣＤＭＡモデム２３に提供する。
【００７３】
したがって、ＣＤＭＡモデム２３は、ＷＣＤＭＡモデム２４から受信されたハンドオーバー命令メッセージに応答してシステムとトラフィックチャネルを設定し、ハンドオーバー完了メッセージをシステムに送信する。
【００７４】
このとき、マルチメディアプロセッサー２６は、外部アンテナがＣＤＭＡモデム２３に接続し、内部アンテナがＷＣＤＭＡモデム２４に接続するように、クロスバースイッチ２０を制御する。
【００７５】
さらに具体的に説明すると、マルチメディアプロセッサー２６は、クロスバースイッチ２０のオン／オフスイッチ２０ａ，２０ｄをオンとし、オン／オフスイッチ２０ｂ、２０ｃをオフとし、これにより外部アンテナがＣＤＭＡモデム２３に接続され、内部アンテナがＷＣＤＭＡモデム２４に接続されるするようにする。
【００７６】
その結果、ＷＣＤＭＡシステムの初期状態では、クロスバースイッチ２０は、外部アンテナがＷＣＤＭＡモデム２４に接続され、内部アンテナがＣＤＭＡモデム２３に接続されるように駆動される。
【００７７】
前述した状態で、ＣＤＭＡ網へのハンドオーバーが発生した場合には、ＷＣＤＭＡモデム２４が停止し、ＣＤＭＡモデム２３がトラフィック状態となり、これにより音声トラフィック信号の送受信が可能となる。そして、ＣＤＭＡモデム２３は、マルチメディアプロセッサー２６に状態変更の内部メッセージを伝送し、かかる内部メッセージを受信したマルチメディアプロセッサー２６は、外部アンテナがＣＤＭＡモデム２３に接続されるように、スイッチング切替制御信号をクロスバースイッチ２０に供給し、これによって、外部アンテナによってＣＤＭＡ周波数帯域信号を送受信することができるようにする。
【００７８】
本発明の実施形態による前述した典型的な動作に相当するハンドオーバー手続の典型的な実施形態に基づいたクロスバースイッチの典型的な制御方法について、図６を参照して段階的に説明する。
【００７９】
図６は、本発明の典型的な実施形態による移動通信端末のハンドオーバー時における内部動作を示すフローチャートである。
【００８０】
図６に示されたように、まず、ＷＣＤＭＡモデム２４を用いた通話中に、ＷＣＤＭＡモデム２４で端末の現在位置がＷＣＤＭＡ境界地域であると認識した場合（ステップＳ２０１、Ｓ２０２）に、ＷＣＤＭＡモデム２４は、ハンドオーバー要求メッセージをシステムに送信すると同時に、ＣＤＭＡモデム２３を駆動するためのメッセージをＣＤＭＡモデム２３に提供する（ステップＳ２０３、Ｓ２０４）。
【００８１】
このとき、マルチメディアプロセッサー２６は、クロスバースイッチ２０にスイッチング制御信号を供給して、外部アンテナがＷＣＤＭＡモデム２４に接続されるようにスイッチング制御し、内部アンテナがＣＤＭＡモデム２３に接続されるようにスイッチング制御する（ステップＳ２０６、Ｓ２０７）。すなわち、ＷＣＤＭＡサービス領域では、外部アンテナがＷＣＤＭＡモデム２４に接続される基本状態を維持することができる。
【００８２】
次に、ＣＤＭＡモデム２３は、ＷＣＤＭＡモデム２４から提供されるモデム駆動メッセージ（Modem On Message）によって駆動され、最良のセルを探索した後に、アイドル状態を維持する（ステップＳ２０５、Ｓ２０８）。
【００８３】
また、システムからハンドオーバー命令メッセージが受信された場合に、ＷＣＤＭＡモデム２４は、当該受信されたハンドオーバー命令メッセージをＣＤＭＡモデム２３に提供する（ステップＳ２０９、Ｓ２１０、Ｓ２１１）。
【００８４】
したがって、ＣＤＭＡモデム２３は、ＷＣＤＭＡモデム２４から受信したハンドオーバー命令メッセージに応答してシステムとトラフィックチャネルを設定し、ハンドオーバー完了メッセージをシステムに送信した後に、クロスバースイッチ２０の状態変更をレポートするメッセージをマルチメディアプロセッサー２６に提供する（ステップＳ２１３、Ｓ２１６、Ｓ２１４）。
【００８５】
このときに、マルチメディアプロセッサー２６は、ＣＤＭＡモデム２３から提供された状態変更メッセージに応答してクロスバースイッチ２０にスイッチング制御信号を供給し、クロスバースイッチ２０の状態を変更する（ステップＳ２１５、Ｓ２１７）。また、マルチメディアプロセッサー２６は、ＷＣＤＭＡモデム２４を停止させる（ステップＳ２１２）。すなわち、マルチメディアプロセッサー２６は、外部アンテナがＣＤＭＡモデム２３に接続され、内部アンテナがＷＣＤＭＡモデム２４に接続されるようにクロスバースイッチ２０を制御する。
【００８６】
さらに具体的に説明すると、マルチメディアプロセッサー２６は、オン／オフスイッチ２０ａ，２０ｄをオンとし、オン／オフスイッチ２０ｂ，２０ｃをオフとして、これにより外部アンテナがＣＤＭＡモデム２３に接続され、内部アンテナがＷＣＤＭＡモデム２４に接続されるように制御する。
【００８７】
このように、クロスバースイッチ２０の状態を変更する場合、ＣＤＭＡモデム２３は、当該設定されたトラフィックチャネルを介して、ネットワークを通じてシステムと通信することにより、当該通話（call）を引き継ぐ（ステップＳ２１８）。
【００８８】
したがって、本発明による移動通信端末及びその制御方法の典型的な実施形態では、移動通信端末機に内部アンテナ及び外部アンテナを各々設置して最初にＷＣＤＭＡ網と接続し、通話の間は外部アンテナがＷＣＤＭＡモデム２４に接続されるようにして、受信性能を向上させ、また、ＷＣＤＭＡ網からＣＤＭＡ網へのハンドオーバー時においては、外部アンテナをＣＤＭＡモデム２３に切り替えるようにクロスバースイッチが制御されることによって、ＣＤＭＡ通信の受信性能を向上させることができる。
【００８９】
前述した典型的な実施形態では、一例として、アンテナを端末の内部及び外部に各々設置する場合について説明したが、本発明の権利範囲が上記実施形態に限定されるものではなく、受信性能が異なる複数のアンテナを内部又は外部に設置し、異なる周波数帯域を有するネットワークシステム間のハンドオーバーが行われる場合に、ハンドオーバーされるシステムモデムを受信性能に優れたアンテナに切り替えることができることが理解されよう。すなわち、アンテナの受信性能としては、アンテナの形態、受信利得などを考慮して決定することができ、受信性能に優れたアンテナを図４のマルチメディアプロセッサー２６に予め設定することによって、ハンドオーバーが発生する場合に、マルチメディアプロセッサー２６は、ハンドオーバーが行われるシステムモデムを受信性能に優れた設定されたアンテナにスイッチングされるように、クロスバースイッチ２６を制御することができる。
【００９０】
また、前述した実施形態では、周波数帯域が異なるＷＣＤＭＡ及びＣＤＭＡ通信モデムを具備したマルチモードマルチバンド（ＭＭＭＢ）端末に限定して説明したが、その他の異なる周波数帯域を有する通信モデムを具備した端末にも十分に適用できることは、この分野における通常の知識を有する者にとって自明であろう。したがって、本発明の範囲は、後述する請求範囲によって解釈されるべきである。
【００９１】
上述のように、本発明に従った移動通信端末及びその制御方法の典型的な実施形態では、移動通信端末は、内部及び外部アンテナを含み、ＷＣＤＭＡシステムの初期状態において、外部アンテナがＷＣＤＭＡモデムに接続され、内部アンテナがＣＤＭＡモデムに接続されるように、クロスバースイッチを制御する。ここで、ＣＤＭＡ網へのハンドオーバーが発生した場合には、ＷＣＤＭＡモデムが停止され、ＣＤＭＡモデムは、音声トラフィック信号の通信を可能とするためにトラフィック状態となる。このとき、ＣＤＭＡモデムは、マルチメディアプロセッサーに状態変更に関する内部メッセージを転送する。
マルチメディアプロセッサーは、このメッセージを受信し、外部アンテナがＣＤＭＡモデムに接続されるようにスイッチング制御信号をクロスバースイッチに供給し、これによって、外部アンテナを介してＣＤＭＡ周波数帯域信号を送受信することができるようにする。
【図面の簡単な説明】
【００９２】
【図１】ＷＣＤＭＡ（Wideband Code Division Multiple Access）及びＣＤＭＡ（Code Division Multiple Access）信号を同時に送受信することが可能な従来の端末を概略的に示す図である。
【図２】ＷＣＤＭＡ網からＣＤＭＡ網へのハンドオーバー時における端末の動作を示すフローチャートである。
【図３】本発明の典型的な実施形態による移動通信端末の構成を示す回路図である。
【図４】本発明の典型的な実施形態による移動通信端末の構成を示す回路図である。
【図５】本発明の典型的な実施形態によるクロスバースイッチの構成を示す図である。
【図６】本発明の典型的な実施形態による移動通信端末のハンドオーバー時における内部動作を示すフローチャートである。
【符号の説明】
【００９３】
１０、１１、２１、２２  デュプレクサ
１２、２３  ＣＤＭＡモデム
１３、２４  ＷＣＤＭＡモデム
１４、２５  ＤＰＲＡＭ
１５、２６  マルチメディアプロセッサー
２０  クロスバースイッチ
【図１】
2008515331.tif 000003
【図２】
2008515331.tif 000004
【図３】
2008515331.tif 000005
【図４】
2008515331.tif 000006
【図５】
2008515331.tif 000007
【図６】
2008515331.tif 000008
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
異なる周波数帯域を有するシステムから信号を受信するための複数のアンテナと、
前記異なる周波数帯域を有するシステムと各々通信するための複数のシステムモデムと、
前記複数のアンテナを前記複数のシステムモデムに選択的に接続するためのスイッチングユニットと、
前記異なる周波数帯域を含むシステム間のハンドオーバー時に、ハンドオーバーされるシステムのシステムモデムを前記複数のアンテナのうち予め定められた１つのアンテナに接続するように前記スイッチングユニットを制御する制御機と、
を備える移動通信端末。
【請求項２】
前記スイッチングユニットは、前記複数のアンテナと前記複数のシステムモデムとの間に位置する
ことを特徴とする請求項１に記載の移動通信端末。
【請求項３】
前記スイッチングユニットは、オン／オフスイッチを備えるクロスバースイッチであることを特徴とする請求項１に記載の移動通信端末。
【請求項４】
前記複数のシステムモデムのうち第１システムモデムが通信中に第１ネットワークシステムのサービス境界領域を検出した場合に、前記第１システムモデムは、ハンドオーバー要請メッセージを前記第１ネットワークシステムに送信し、モデム駆動メッセージを前記複数のシステムモデムのうちの第２システムモデムに伝送し、前記第１ネットワークシステムからハンドオーバー命令メッセージを受信すると、前記第１システムモデムは、該受信されたハンドオーバー命令メッセージを前記第２システムモデムに転送し、次に、前記第１システムモデムがディセイブル（disenable）される
ことを特徴とする請求項１に記載の移動通信端末。
【請求項５】
前記複数のシステムモデムのうちの前記第２システムモデムは、前記第１システムモデムから前記モデム駆動メッセージを受信し、イネーブル（enable）され、最良のセルを探索し、アイドル状態で待機した後に、前記第２システムモデムは、前記第１システムモデムから提供される前記ハンドオーバー命令メッセージに応答して、ネットワークを介して第２ネットワークシステムとトラフィックチャネルを設定し、前記ネットワークを介して前記第２ネットワークシステムと通信する
ことを特徴とする請求項４に記載の移動通信端末。
【請求項６】
前記第１システムモデムは、ＷＣＤＭＡ（Wideband Code Division Multiple Access）ネットワークシステムと通信するためのＷＣＤＭＡモデムを備え、
前記第２システムモデムは、ＣＤＭＡ（Code Division Multiple Access）ネットワークシステムと通信するためのＣＤＭＡモデムを備える
ことを特徴とする請求項４に記載の移動通信端末。
【請求項７】
前記複数のアンテナは、同一または異なる受信性能を有し、前記移動通信端末の内部及び外部に装着される
ことを特徴とする請求項１に記載の移動通信端末。
【請求項８】
前記予め定められたアンテナは、外部アンテナを備えることを特徴とする請求項１に記載の移動通信端末。
【請求項９】
複数のアンテナを複数のシステムモデムに選択的に接続するためのスイッチングユニットと、
異なる周波数帯域の前記システム間のハンドオーバー時に、ハンドオーバーされるシステムのシステムモデムを前記複数のアンテナのうち１つの予め定められたアンテナに接続するように前記スイッチングユニットを制御する制御機と、
を備えることを特徴とする移動通信端末。
【請求項１０】
前記複数のアンテナは、端末ケースの内部及び外部に装着されることを特徴とする請求項９に記載の移動通信端末。
【請求項１１】
システムモデムのうち第１モデムが外部アンテナに接続され、第２モデムが内部アンテナに接続されることを特徴とする請求項９に記載の移動通信端末。
【請求項１２】
第１周波数帯域を有するシステムから第２周波数帯域を有するシステムへのハンドオーバー時に、前記第１モデムを前記内部アンテナに接続し、前記第２モデムを前記外部アンテナに接続するための制御機をさらに備える
ことを特徴とする請求項１１に記載の移動通信端末。
【請求項１３】
前記第１モデムは、ＷＣＤＭＡ（Wideband Code Division Multiple Access）周波数帯域を有するシステムと通信するためのＷＣＤＭＡモデムを備え、
前記第２モデムは、ＣＤＭＡ（Code Division Multiple Access）周波数帯域を有するシステムと通信するためのＣＤＭＡモデムを備える
ことを特徴とする請求項１２に記載の移動通信端末。
【請求項１４】
複数のアンテナを有する移動通信端末においてアンテナスイッチングを制御する方法であって、
前記端末が第１通信モデムを用いて第１移動通信システムと通信しながら、該端末が異なる周波数帯域を有する第２移動通信システムのサービス領域に進入した場合に、前記第２移動通信システムと通信するための第２通信モデムをイネーブルさせ、前記第２移動通信システムとのトラフィックチャネルを設定する段階と、
前記複数のアンテナの内のより高い受信性能を有する第１アンテナが前記イネーブルされた第２通信モデムに接続され、前記第１アンテナよりも低い受信性能を持った第２アンテナが前記第１通信モデムに接続されるように、アンテナスイッチングを制御する段階と、
を含む移動通信端末のアンテナスイッチング制御方法。
【請求項１５】
前記第１モデムは、ＷＣＤＭＡ（Wideband Code Division Multiple Access）モデムであり、前記第２モデムは、ＣＤＭＡ（Code Division Multiple Access）モデムである
ことを特徴とする請求項１４に記載の移動通信端末のアンテナスイッチング制御方法。
【請求項１６】
前記第１移動通信システムは、ＷＣＤＭＡ（Wideband Code Division Multiple Access）システムを備え、
前記第２移動通信システムは、ＣＤＭＡ（Code Division Multiple Access）システムを備える
ことを特徴とする請求項１４に記載の移動通信端末のアンテナスイッチング制御方法。
【請求項１７】
前記第１アンテナと前記第２アンテナとの間の前記スイッチングは、複数のオン／オフスイッチを備えたクロスバースイッチを用いて行われる
ことを特徴とする請求項１４に記載の移動通信端末のアンテナスイッチング制御方法。
【請求項１８】
前記複数のアンテナは、同一または異なる受信性能を有し、前記移動通信端末の内部及び外部に装着される
ことを特徴とする請求項１４に記載の移動通信端末のアンテナスイッチング制御方法。
【請求項１９】
異なる周波数帯域を有する各々のシステムと通信するための複数のシステムモデムと、異なる周波数帯域信号を受信し、受信した周波数帯域信号を前記各々のシステムモデムに供給する複数のアンテナと、を備えた移動通信端末においてアンテナスイッチングを制御する方法であって、
通信中の第１システムモデムが前記端末の現在位置が第１移動通信システムのサービス周波数帯域の境界領域にあると判定したときに、ハンドオーバー要請メッセージを前記第１移動通信システムに送信し、モデム駆動メッセージをネットワークを介して第２システムモデムに送信する段階と、
前記モデム駆動メッセージを受信した前記第２システムモデムで、最良のセルを探索し、前記第１移動通信システムから提供されるハンドオーバー命令に応答して、ネットワークを介して前記第２移動通信システムとトラフィックチャネルを設定する段階と、
前記複数のアンテナの内のより優れた受信性能を有する設定された第１アンテナが前記第２システムモデムにスイッチングされるように、アンテナスイッチングを制御する段階と、
を含む移動通信端末のアンテナスイッチング制御方法。
【請求項２０】
アンテナスイッチングを制御するときに、前記第１アンテナよりも低い受信性能を有する第２アンテナが前記第１システムモデムにスイッチングされる
ことを特徴とする請求項１９に記載の移動通信端末のアンテナスイッチング制御方法。
【請求項２１】
前記第１システムモデムは、ＷＣＤＭＡ（Wideband Code Division Multiple Access）モデムを備え、前記第２システムモデムは、ＣＤＭＡ（Code Division Multiple Access）モデムを備える
ことを特徴とする請求項１９に記載の移動通信端末のアンテナスイッチング制御方法。
【請求項２２】
前記複数のアンテナは、同一または異なる受信性能を有し、前記移動通信端末の内部及び外部に装着される
ことを特徴とする請求項１９に記載の移動通信端末のアンテナスイッチング制御方法。
【手続補正書】
【提出日】平成19年4月3日(2007.4.3)
【手続補正１】
【補正対象書類名】明細書
【補正対象項目名】００８９
【補正方法】変更
【補正の内容】
【００８９】
前述した典型的な実施形態では、一例として、アンテナを端末の内部及び外部に各々設置する場合について説明したが、本発明の権利範囲が上記実施形態に限定されるものではなく、受信性能が異なる複数のアンテナを内部又は外部に設置し、異なる周波数帯域を有するネットワークシステム間のハンドオーバーが行われる場合に、ハンドオーバーされるシステムモデムを受信性能に優れたアンテナに切り替えることができることが理解されよう。すなわち、アンテナの受信性能としては、アンテナの形態、受信利得などを考慮して決定することができ、受信性能に優れたアンテナを図４のマルチメディアプロセッサー２６に予め設定することによって、ハンドオーバーが発生する場合に、マルチメディアプロセッサー２６は、ハンドオーバーが行われるシステムモデムを受信性能に優れた設定されたアンテナにスイッチングされるように、クロスバースイッチ２０を制御することができる。
【手続補正２】
【補正対象書類名】図面
【補正対象項目名】図６
【補正方法】変更
【補正の内容】
【図６】
2008515331.tif 000009
【国際調査報告】
2008515331.tif 000010
2008515331.tif 000011